【事件の表示】
　平成　４年特許願第１０３３５４号「配線器具」拒絶査定に対する審判事件［平成　５年１１月１２日出願公開、特開平　５−３００６２４］について、次のとおり審決する。
【結　論】
　本件審判の請求は、成り立たない。
【理　由】
１．出願の経緯・本件発明
　本願は、平成４年４月２３日の出願であって、その請求項１ないし３に係る発明は、平成１１年４月１９日付け及び平成１２年１０月５日付けの手続補正書により補正された明細書及び図面の記載からみて、その特許請求の範囲に記載されたとおりものと認められるところ、その請求項２は次のとおりのものである。（以下、請求項２に係る発明を「本願発明」という。）
「【請求項２】　略中央に開口部を有し造営面に固定される丸型のプレート枠と、プレート枠の開口部に着脱自在に装着される中枠と、中枠に着脱自在に装着されるスイッチと、スイッチの上面に着脱自在に装着されるスイッチの操作用の円盤状のハンドルと、ハンドルを内部に位置させてプレート枠に装着される丸型枠状の化粧枠を備えた配線器具であって、スイッチがオンされたとき点灯して表示する表示窓をハンドルに設けると共にこの表示窓を円形にして成ることを特徴とする配線器具。　」
   
２．引用刊行物
　　これに対して、原査定の拒絶の理由に引用された刊行物は次のものである。
刊行物２：特開平０２−２９１６２０号公報
刊行物３：特開昭５８−９４７２１号公報
刊行物４：特開平０２−７５１１１号公報
刊行物５：実願昭５９−１４３６６３号（実開昭６１−５８８１９号）のマイクロフィルム
刊行物６：特開昭４８−９５５６３号公報
刊行物７：特開平０１−１０３１１３号公報
　
（１）刊行物２の記載事項
　上記刊行物２には、ケース本体９及び蓋体１０により形成された器体７内に、前記蓋体に反転可能に支持された操作子１１の反転動作により可動接点及び固定接点間を開閉させるスイッチ機構８と、スイッチ機構に電気接続される外部電線の接続端子とを収納したスイッチ装置において、蓋体１０が操作子１１の化粧操作板４９を着脱可能に装着した操作枠４７と操作子１１とを操作子受部６１及び転換子受部６２を設けて支持し、化粧操作板４９の突出側を押圧すると、化粧操作板４９と一体をなす操作枠４７が、転換子３８を反転させ、電気回路の導通を開閉するスイッチ装置が記載され（特許請求の範囲、第３頁右上欄３行〜第６頁左上欄８行、特に第５頁右上欄１１行以下の動作の説明についての記載、第１〜９図）、転換子３８に組み付けられたランプ等の発光表示体４４の光が、操作枠４７の底面開口の反射板５２で乱反射され化粧操作板４９の中央の窓穴５９に装着された透光片６０から観察されるものが記載されている（第４頁左下欄８行〜右下欄１２行、第５頁左上欄１３行〜末行）。第３図、第８図中で「符号６０」が付されている部分は、細長い端部が丸みを帯びた形状である。
　
（２）刊行物３の記載事項
　刊行物３には、平板状の操作ハンドル（６）の裏面中央部を回動自在に軸支して、操作ハンドルの前面一端部を押圧すると操作ハンドルの前面他端部が突出するようなシーソー動作を行うことにより、電気接点を開閉できるようにしたシーソ型のスイッチを複数個有するスイッチ器具において、操作ハンドル（６）は、その裏面に一体形成された円筒リブ（４１）がスイッチ本体（７）の中ハンドル（１０）のリブ（１２）を有する凹室（１２）に固定ばね（１４）を介在させて押し込まれてスイッチ本体（７）に装着されているものが記載されており、負荷のオン、オフ状態を表示する表示素子（２３）、（２２）の点滅状態を外部から目視により確認できるように、操作ハンドル（６）の略中央に細長の孔に装着された透明体（４４）があることが記載されている（第２頁右下欄１５行〜第３頁右上欄末行、第４、５図）。そして、第１図の従来例をはじめてとして、第３，４，７図にも、四角形のプレート本体３０の内部に四角形の操作ハンドル６が設けられていることが図示されている。
　
（３）刊行物４の記載事項
　刊行物４には、スイッチの接点機構を開閉するように操作するハンドル６０が、保持ばね６１を用いてスイッチ上面に着脱自在に装着されることが記載されていると共に、ハンドル６０にはその背面の突台６６に対応する部位に装着された透光カバー６８により、揺動子５０に装着した透光板を透過するネオンランプＮＬや発光ダイオードＬＤの光を透過させるようになっていることが記載されている（第３頁左下欄２行〜右下欄１７行、第１図（ａ）、第３図）。そして、第１，５図には、四角形のカバー１２の内部に四角形の操作ハンドル６０が設けられていることが図示されている。
　
（４）刊行物５，６の記載事項
　刊行物５には、内蔵される光源がスイッチ１，１のＯＦＦ時に点灯して表示部２，２，から光を放射してスイッチのＯＦＦ状態を知らせる機能を有する壁埋込型の従来の配線器具（第１図）と、スイッチの負荷の名称等文字が読みやすいように、スイッチを有する器具本体３を覆うプレート６が面上の発光体になっている配線器具が記載され（第１頁下から７行〜第２頁下から３行、第１〜２図）、また、刊行物６には、波形押釦体の内包へ、電気的に発光する発光素子を収容すると共に、該発光素子の発光を外部へ透過するよう上記押し釦体の少なくとも一部を透光性の材料で作ったことを特徴とする波動スイッチが記載されている。
　
（５）刊行物７の記載事項
　刊行物７には、「コンセント、スイッチ等の配線器具を室内の壁、天井等に取付けるために使用する配線器具用取付枠」（１頁右下欄６〜８行）に関して、
（ａ）第１の実施例（２頁右上欄１０行〜右下欄１７行、第１〜３図.）
「　第１図乃至第３図は本考案の一実施例を示すもので、・・第３図はプレート枠等との関係を示す分解斜視図である。
　先ず、構成を説明すると、・・・・・
　また、枠本体１の基部２の中央部には、第３図に示すようなスイッチ、・・・等の配線器具７の、押しボタン、差込口等を有するボス部７ａが貫通する貫通穴８を設けている。この貫通穴８は、第１〜３図に示すように配線器具７のボス部７ａの形状と略等しい２つの長方形の穴９，１０を直交するに方向に重ね合わせたような形状（十字形）をなしている。・・・かかる可変片１２と上記固定片１１によって、配線器具７を固定するための固定手段を構成している。
　さらに、各固定片１１及び各可変片１２の外側には、第１，２図に示すようにネジ穴１６を夫々設けており、かかるネジ穴１６に螺合するネジ１７により、例えば第３図に示すようなプレート枠１８が固定される。
　第３図は、本実施例に係る取付枠、これを取付けられるプレート枠１８，化粧プレート２０等を示す分解斜視図である。プレート枠１８には４つの係止穴１９を、また化粧プレート２０の裏面には係止爪２１を夫々設けており、各係止爪２１を対応する係止穴１９に係合することにより、化粧プレート２０をプレート枠１８に着脱自在に取り付けることができる。」と記載され、略中央に開口部を有し造営面の取付穴に固定される外形が丸形のプレート枠、プレート枠に着脱自在に装着される枠本体、枠本体に着脱自在に装着されるコンセント、スイッチ等の器具と、プレート枠に着脱自在に装着される化粧プレートを備え、化粧プレートの外形がプレート枠の丸形の外形に沿う丸形となっている実施例が第１〜３図に図示されると共に、
（ｂ）第２の実施例（３頁右上欄９行〜右下欄末行、第４〜６図）
「第４図及び第５図には、本発明の第２の実施例を示す。
　本実施例は、上記実施例における枠本体を合成樹脂で形成するとともに、その枠本体３０を係着させるための係着手段をプレート枠２３に設けたものである。
　　・・・・
　上記配線器具としては、例えば第６図（ａ）及び（ｂ）に示すコンセント４０，４１，或いはスイッチ等のような各種形態のものを適用することができる。・・・・
　而して、以上のような構成を有する枠本体３０とプレート枠３１であっても上記実施例と同様の効果を得ることができる。」と、前記実施例においてはねじ止めであったプレート枠に枠本体を係着させるための係着手段が、プレート枠の開口部に設けられた実施例が記載されている。
　
３．対比・判断
３−１）本願発明と刊行物７記載の発明との対比、判断
（１）刊行物７の実施例記載の配線器具
　刊行物７の「枠本体」は、本願発明の「中枠」に相当する。
　また、その第４〜５図に記載された枠本体と丸型のプレート枠の具体例は、第３図のもののように、スイッチおよび丸型の化粧プレートと組み合わせた形で記載はされていないものの、スイッチを枠本体に装着することは、上記記載（ｂ）の中程に記載されているし、第４〜５図に記載された枠本体と丸型プレート枠とスイッチとが組み合わされたものの表面開口部は、そのまま露出されて使用されるものでなく、第１〜３図の実施例と同様に、常法の如く、枠本体に装着したスイッチを露出させる開口が中央部に形成されている丸型の化粧プレートが、プレート枠の前面に着脱自在に装着されて組み合わされ、配線器具として使用されることが記載されているものと認められる。
　
（２）一致点・相違点
　本願発明と、刊行物７記載の第４〜５図の枠本体と丸型のプレート枠を常法のようにスイッチおよび丸型の化粧プレートと組み合わせた形の配線器具を対比すると、両者は、
＜一致点＞　
「略中央に開口部を有し造営面に固定される丸型のプレート枠と、プレート枠の開口部に着脱自在に装着される中枠と、中枠に着脱自在に装着されるスイッチと、プレート枠に装着される丸型の化粧部材を備えた配線器具。」である点で一致するが、次の点で相違する。
＜相違点イ＞
　スイッチの操作が、本願発明では、「スイッチの上面に着脱自在に装着されるスイッチの操作用の円盤状のハンドル」であって、丸型枠状の化粧枠の内部に位置させたハンドルによって行われるものであるのに対し、刊行物７には、化粧部材である「化粧プレート」の中央開口の内部にスイッチが位置しているものの、丸型枠状の化粧枠の内部に位置させたスイッチの上面に着脱自在に装着されるスイッチの操作用の円盤状のハンドルで操作されるスイッチについて記載されていない点。
＜相違点ロ＞
　本願発明では、「スイッチがオンされたとき点灯して表示する表示窓をハンドルに設けると共にこの表示窓を円形にして成る」ものであるのに対し、刊行物７には、そのような表示窓については記載されていない点。
　
（３）上記相違点についての検討
　上記相違点について検討する。
（ｉ）相違点イについて
　スイッチの操作を、スイッチの構成部材やその取付のための部材をカバーし造営面に露出している配線器具の全体的外観を決定している化粧部材である四角形枠状の化粧枠部材の内部に位置し、かつ該化粧枠部材の輪郭形状と相似的な四角形状のスイッチの操作用のハンドルによって、スイッチの操作を行うことは、刊行物３，４にも記載されているように、本願出願前公知のスイッチ操作方法にすぎない。
　そうすると、造営面に露出している配線器具の全体的外観を決定している化粧部材が丸型のものである配線器具において、丸型の化粧部材形状に合わせて、スイッチの上面に着脱自在に装着されるスイッチの操作用のハンドルも、丸型の円盤状のハンドルとし、丸型枠状の化粧枠の内部に位置させたハンドルによって行うように設計変更する程度のことは、当業者が適宜設計しうる範囲内の事項である。
（ii）相違点ロについて
　スイッチの操作用のハンドルによって、スイッチの操作を行うハンドルに、下方に設けられたランプ等の発光手段からの光が見えるように、スイッチの状態を表示する表示窓を設けることは、刊行物２〜４にも記載の如く慣用手段にすぎない。そして、表示窓の形状を四角などでなく、丸型とすることも、必要に応じて当業者が適宜設計し得る事項であって、格別の技術的困難性は認められない。
　また、それによる意匠的な効果等も、予測される範囲内のものである。
　
４．むすび
　したがって、本願発明は、本願出願前日本国内において頒布された上記刊行物２〜４，７に記載された発明に基づいて、当業者が容易に発明をすることができたものであるので、特許法第２９条第２項の規定により特許を受けることができない。
　よって、結論のとおり審決する。